【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
入力色空間を複数の単位立方体に分割する格子点に対応して出力色空間における信号値を保持する色変換テーブルを用いる色変換を行う色処理装置であって、
前記入力色空間の明度軸に直交する色度平面において、入力信号が属す象限を判定する判定手段と、
前記複数の単位立方体において、前記入力信号が属す単位立方体を検出する検出手段と、
前記判定された象限に基づいた前記出力色空間における信号値を用いる補間演算によって得られた、前記入力信号に対応する出力信号を出力する出力手段と、を有し、
前記補間演算に用いる前記出力色空間における信号値は、前記判定された象限に応じた分割方法によって、前記入力信号が属す前記単位立方体を前記複数の単位立方体のうち一部の単位立方体における前記色度平面の原点を通る対角線に沿って複数の多面体に分割した場合の、前記複数の多面体または前記複数の多面体をさらに分割して得られる多面体において前記入力信号が属す多面体の頂点に対応する前記出力色空間における信号値であることを特徴とする色処理装置。
【請求項２】
前記入力信号が属す前記多面体の頂点に対応する前記出力色空間における信号値を用いる補間演算により、前記出力信号を算出する補間手段と、をさらに有し、
前記出力手段は、前記補間手段によって算出された前記出力信号を出力することを特徴とする請求項１に記載された色処理装置。
【請求項３】
前記判定手段は、前記入力信号の色成分信号値の積に基づいて、前記入力信号が属す象限を判定することを特徴とする請求項１または請求項２に記載された色処理装置。
【請求項４】
前記判定手段は、前記色成分信号値の積が零を超える場合は前記入力信号が前記色度平面における第一象限または第三象限に属すと判定し、前記色成分信号値の積が零以下の場合は前記入力信号が前記色度平面における第二象限または第四象限に属すと判定することを特徴とする請求項３に記載された色処理装置。
【請求項５】
前記分割方法は、前記入力信号が前記色度平面における第一象限または第三象限に属す場合の第一の分割方法と、前記入力信号が前記色度平面における第二象限または第四象限に属す場合の、前記第一の分割方法とは異なる第二の分割方法と、を含むことを特徴とする請求項４に記載された色処理装置。
【請求項６】
前記入力信号が属す前記単位立方体の辺のうち前記明度軸に一致する辺がある場合、前記明度軸に一致する辺の一方の頂点が属す前記色度平面において、前記入力信号が属す前記単位立方体の頂点のうち前記明度軸から最も遠い頂点と前記一方の頂点とを結ぶ線分を前記入力信号が属す前記単位立方体を分割する第一の分割線に設定し、前記明度軸に一致する辺の前記一方の頂点とは異なる他方の頂点が属す前記色度平面において、前記入力信号が属す前記単位立方体の頂点のうち前記明度軸から最も遠い頂点と前記他方の頂点とを結ぶ線分を前記入力信号が属す前記単位立方体を分割する第二の分割線に設定し、前記第一の分割線と前記第二の分割線とに沿って前記入力信号が属す前記単位立方体を分割する分割手段と、をさらに有し、
前記出力手段は、前記分割手段が前記入力信号が属す前記単位立方体を分割することによって得られた前記複数の多面体または前記複数の多面体をさらに分割して得られる前記多面体において前記入力信号が属す前記多面体の頂点に対応する前記出力色空間における信号値を用いる前記補間演算によって得られた、前記入力信号に対応する前記出力信号を出力することを特徴とする請求項１乃至請求項５の何れか一項に記載された色処理装置。
【請求項７】
前記入力信号が属す単位立方体の辺のうち前記明度軸に一致する辺がない場合、前記分割手段は、前記明度軸に平行で且つ前記明度軸に最も近い辺の一方の頂点が属す前記色度平面において、前記入力信号が属す前記単位立方体の頂点のうち前記明度軸から最も遠い頂点と前記一方の頂点とを結ぶ線分を前記入力信号が属す前記単位立方体を分割する第一の分割線に設定し、前記明度軸に平行で且つ前記明度軸に最も近い辺の前記一方の頂点とは異なる他方の頂点が属す前記色度平面において、前記入力信号が属す前記単位立方体の頂点のうち前記明度軸から最も遠い頂点と前記他方の頂点とを結ぶ線分を前記入力信号が属す前記単位立方体を分割する第二の分割線に設定し、前記第一の分割線と前記第二の分割線とに沿って前記入力信号が属す前記単位立方体を分割することを特徴とする請求項６に記載の色処理装置。
【請求項８】
前記複数の多面体は複数の三角柱であることを特徴とする請求項１乃至請求項７の何れか一項に記載された色処理装置。
【請求項９】
前記補間演算に用いる前記出力色空間における信号値は、前記判定された象限に応じた分割方法によって、前記入力信号が属す前記単位立方体を前記複数の単位立方体のうち一部の単位立方体における前記色度平面の原点を通る対角線に沿って前記複数の三角柱に分割した場合の、前記複数の三角柱において前記入力信号が属す三角柱の頂点に対応する前記出力色空間における信号値であることを特徴とする請求項８に記載された色処理装置。
【請求項１０】
前記複数の多面体をさらに分割して得られる前記多面体は複数の四面体であることを特徴とする請求項１乃至請求項７の何れか一項に記載された色処理装置。
【請求項１１】
前記補間演算に用いる前記出力色空間における信号値は、前記判定された象限に応じた分割方法によって、前記入力信号が属す前記単位立方体を前記複数の単位立方体のうち一部の単位立方体における前記色度平面の原点を通る対角線に沿って前記複数の多面体に分割した場合の、前記複数の多面体をさらに分割して得られる前記複数の四面体において前記入力信号が属す四面体の頂点に対応する前記出力色空間における信号値であることを特徴とする請求項１０に記載された色処理装置。
【請求項１２】
前記入力信号の入力先と、前記色変換テーブルおよび前記出力信号の出力先と、を示す指示を入力する指示入力手段と、
前記指示に基づいて、前記入力先から前記入力信号を入力する信号入力手段と、をさらに有し、
前記出力手段は、前記指示に基づいて、前記出力信号を前記出力先に出力し、
前記検出手段および前記補間手段は、前記指示に基づいた前記色変換テーブルを参照することを特徴とする請求項２に記載された色処理装置。
【請求項１３】
入力色空間を複数の単位立方体に分割する格子点に対応して出力色空間における信号値を保持する色変換テーブルを用いる色変換を行う色処理方法であって、
前記入力色空間の明度軸に直交する色度平面において、入力信号が属す象限を判定する判定ステップと、
前記複数の単位立方体において、前記入力信号が属す単位立方体を検出する検出ステップと、
前記判定された象限に基づいた前記出力色空間における信号値を用いる補間演算によって得られた、前記入力信号に対応する出力信号を出力する出力ステップと、を有し、
前記補間演算に用いる前記出力色空間における信号値は、前記判定された象限に応じた分割方法によって、前記入力信号が属す前記単位立方体を前記複数の単位立方体のうち一部の単位立方体における前記色度平面の原点を通る対角線に沿って複数の多面体に分割した場合の、前記複数の多面体または前記複数の多面体をさらに分割して得られる多面体において前記入力信号が属す多面体の頂点に対応する前記出力色空間における信号値であることを特徴とする色処理方法。
【請求項１４】
コンピュータを請求項１乃至請求項１２の何れか一項に記載された色処理装置の各手段として機能させるためのプログラム。
【請求項１５】
請求項１４に記載されたプログラムが記録されたコンピュータが読み取り可能な記録媒体。
【手続補正２】
【補正対象書類名】明細書
【補正対象項目名】００１６
【補正方法】変更
【補正の内容】
【００１６】
本発明にかかる色処理は、入力色空間を複数の単位立方体に分割する格子点に対応して出力色空間における信号値を保持する色変換テーブルを用いる色変換を行う際に、前記入力色空間の明度軸に直交する色度平面において、入力信号が属す象限を判定し、複数の単位立方体において、入力信号が属す単位立方体を検出し、判定された象限に基づいた出力色空間における信号値を用いる補間演算によって得られた、入力信号に対応する出力信号を出力する。補間演算に用いる出力色空間における信号値は、判定された象限に応じた分割方法によって、入力信号が属す単位立方体を複数の単位立方体のうち一部の単位立方体における色度平面の原点を通る対角線に沿って複数の多面体に分割した場合の、複数の多面体または複数の多面体をさらに分割して得られる多面体において入力信号が属す多面体の頂点に対応する出力色空間における信号値である。